(57)【要約】【課題】隙間部のタイル貼りの作業を不要にし、框の固定を容易かつ確実に行えるようにした玄関用框の固定構造を提供する。【解決手段】建物内の玄関の土間１と隣接する壁部（立上がり壁部３，側壁部４）の土間側に固定されると共に、表面側に係合受け部１１，１２；２１が突設される第１，第２のベース部材１０，２０と、壁部（立上がり壁部，側壁部）の土間側部分を覆う垂直部３２，４１と該垂直部の下端に延在するスカート部３３，４２を有すると共に、裏面側に係合受け部と係合可能な係合部３５，３６；４３が設けられる合成樹脂製の框部材３０，４０とを具備し、壁部（立上がり壁部，側壁部）に固定されたベース部材の係合受け部に、框部材の係合部を係合して框部材を固定すると共に、土間に敷設されるモルタル６内にスカート部の下端を埋入固定する。【選択図】  図１
2010144435.tif 000002
【特許請求の範囲】
【請求項１】
建物内の玄関の土間と隣接する壁部に框を固定する構造であって、
上記壁部の上記土間側に固定されると共に、表面側に係合受け部が突設されるベース部材と、
上記壁部の上記土間側部分を覆う垂直部と該垂直部の下端に延在するスカート部を有すると共に、裏面側に上記係合受け部と係合可能な係合部が設けられる合成樹脂製の框部材とを具備し、
上記壁部に固定された上記ベース部材の係合受け部に、上記框部材の係合部を係合して框部材を固定すると共に、上記土間に敷設されるモルタル内に上記スカート部の下端を埋入固定する、
ことを特徴とする玄関用框の固定構造。
【請求項２】
請求項１記載の玄関用框の固定構造において、
上記ベース部材の係合受け部及び上記框部材の係合部に互いに接触する水平面部を設け、両水平面部間に接着剤を介在してなる、ことを特徴とする玄関用框の固定構造。
【請求項３】
請求項１記載の玄関用框の固定構造において、
上記壁部の上部に位置する床部材の上面に固定部材によって板部材を固定し、
上記ベース部材は、ピース状に形成されると共に、上記板部材の上面端部に載置される水平片を有し、
上記框部材は、上記垂直部の上端に水平部を有し、上記水平部の下面と上記板部材の上面及び上記ベース部材の水平片の上面との間に接着剤を介在してなる、ことを特徴とする玄関用框の固定構造。
【請求項４】
請求項１ないし３のいずれかに記載の玄関用框の固定構造において、
上記框部材の垂直部とスカート部を分割し、上記垂直部の下端部に設けられた係止受け部と、上記スカート部の上端部に設けられた係止部とを係合可能に形成してなる、ことを特徴とする玄関用框の固定構造。
【請求項５】
請求項１ないし４のいずれかに記載の玄関用框の固定構造において、
上記框部材のスカート部の下端部を、モルタルとの接触面積を広くすべく凹凸状に形成してなる、ことを特徴とする玄関用框の固定構造。
【発明の詳細な説明】
【技術分野】
【０００１】
この発明は、玄関用框の固定構造に関するもので、更に詳細には、例えば木造家屋等の建物内の玄関の土間と隣接する壁部に框を固定する構造に関するものである。
【背景技術】
【０００２】
一般に、例えば木造家屋等の建物の玄関の縁の部分すなわち玄関の土間と隣接する床面の立上がり壁及び土間と隣接する側壁部分には上がり框や付け框等の框が設けられている。
【０００３】
通常、框は木材によって形成されるため、框のために大きめの木材が必要となってコストが嵩むという問題がある。また、框が水に濡れることのないように、框の下端と土間との間には隙間を空けている。この場合、框下端と土間の隙間に床タイルを貼って納めている。
【０００４】
ところで、近年では木製の框に代わって合成樹脂製の框が使用されている。この種の框として、玄関の立上がり壁を覆う垂直部を有する合成樹脂製の框材本体と、立上がり壁に固定されるとともに框材本体と係合することによって框材を固定させる框固定具本体とを備え、框材本体の裏面側に係合部を備え、框固定具本体には、框材本体の係合部と係合可能な固定体係合部を備えた框材固定構造が知られている（例えば、特許文献１参照）。
【０００５】
上記特許文献１記載の構造によれば、接着剤を使用せずに框材本体を固定することができる。また、特許文献１記載の構造のものにおいては、固定を確実にするために、框材本体の水平部における反段差側の端部に、水平方向に連続して凹設させた欠設部を設け、その欠設部に頭部が隠れるような固定釘を用いて框材本体を固定している。
【特許文献１】特許第３１４２７３４号公報（特許請求の範囲、図１，図２）
【発明の開示】
【発明が解決しようとする課題】
【０００６】
しかしながら、特許文献１に記載のものにおいては、框材本体の下端の納まりには言及されておらず、框材本体の下端と土間との間には隙間が空けられている。そのため、框材本体と土間の隙間に床タイルを貼って納める必要がある。しかし、隙間の高さ寸法に合わせてタイルを切断してから貼る必要があり、手間のかかる作業となっている。
【０００７】
また、特許文献１に記載のものにおいては、框材本体の固定を確実にするために、固定用釘を用いるために、框の固定作業に熟練を要すると共に、手間を要する懸念がある。
【０００８】
この発明は、上記事情に鑑みてなされたもので、框部材と土間との隙間を塞いでタイル貼りの作業を不要にし、框の固定を容易かつ確実に行えるようにした玄関用框の固定構造を提供することを目的とするものである。
【課題を解決するための手段】
【０００９】
上記課題を解決するために、この発明の玄関用框の固定構造は、建物内の玄関の土間と隣接する壁部に框を固定する構造であって、  上記壁部の上記土間側に固定されると共に、表面側に係合受け部が突設されるベース部材と、  上記壁部の上記土間側部分を覆う垂直部と該垂直部の下端に延在するスカート部を有すると共に、裏面側に上記係合受け部と係合可能な係合部が設けられる合成樹脂製の框部材とを具備し、  上記壁部に固定された上記ベース部材の係合受け部に、上記框部材の係合部を係合して框部材を固定すると共に、上記土間に敷設されるモルタル内に上記スカート部の下端を埋入固定する、ことを特徴とする（請求項１）。
【００１０】
このように構成することにより、ベース部材の係合受け部に框部材の係合部を係合して框部材を固定すると共に、土間に敷設されるモルタル内にスカート部の下端を埋入固定するので、框部材の固定を、係合受け部と係合部との係合と、スカート部下端のモルタル内への埋入固定とで行うことができる。
【００１１】
この発明において、上記ベース部材の係合受け部及び上記框部材の係合部に互いに接触する水平面部を設け、両水平面部間に接着剤を介在する方が好ましい（請求項２）。
【００１２】
このように構成することにより、ベース部材の係合受け部と框部材の係合部との係合を更に強固にすることができる。
【００１３】
また、この発明において、上記壁部の上部に位置する床部材の上面に固定部材によって板部材を固定し、上記ベース部材は、ピース状に形成されると共に、上記板部材の上面端部に載置される水平片を有し、上記框部材は、上記垂直部の上端に水平部を有し、上記水平部の下面と上記板部材の上面及び上記ベース部材の水平片の上面との間に接着剤を介在してもよい（請求項３）。
【００１４】
このように構成することにより、ベース部材がピース状部材にて形成されるので、材料の削減が図れる。また、壁部の上部に位置する床部材の上面に固定部材例えば釘やビスをもって固定される板部材の上面にベース部材の水平片を載置し、框部材の水平部の下面と板部材の上面及びベース部材の水平片の上面との間に接着剤を介在して固定することにより、床部材を傷めることなく框部材を交換することができる。
【００１５】
また、この発明において、上記框部材の垂直部とスカート部を分割し、上記垂直部の下端部に設けられた係止受け部と、上記スカート部の上端部に設けられた係止部とを係合可能に形成してもよい（請求項４）。
【００１６】
このように構成することにより、框部材の垂直部と土間との隙間の寸法に応じたスカート部を垂直部に取り付けて上記隙間を塞ぐことができる。
【００１７】
加えて、この発明において、上記框部材のスカート部の下端部を、モルタルとの接触面積を広くすべく凹凸状に形成する方が好ましい（請求項５）。
【００１８】
このように構成することにより、モルタル内に埋入されるスカート部の下端部の凹凸状部とモルタルとの密着性が向上する。
【発明の効果】
【００１９】
この発明の玄関用框の固定構造は、上記のように構成されているので、以下のような効果が得られる。
【００２０】
（１）請求項１記載の発明によれば、框部材の固定を、係合受け部と係合部との係合と、スカート部下端のモルタル内への埋入固定とで行うことができるので、タイル貼りの作業を不要にし、框の固定を容易かつ確実に行うことができる。
【００２１】
（２）請求項２記載の発明によれば、ベース部材の係合受け部と框部材の係合部との係合を更に強固にすることができるので、上記（１）に加えて、更に框部材の固定を強固にすることができる。
【００２２】
（３）請求項３記載の発明によれば、上記（１）に加えて、更にベース部材の材料費の削減が図れると共に、土間に隣接する床面に傷をつけることなく、框部材の交換を可能にすることができる。
【００２３】
（４）請求項４記載の発明によれば、框部材の垂直部と土間との隙間の寸法に応じたスカート部を垂直部に取り付けて上記隙間を塞ぐことができるので、上記（１）〜（３）に加えて、更に異なる寸法の玄関に対応した框の固定が可能となる。
【００２４】
（５）請求項５記載の発明によれば、モルタル内に埋入されるスカート部の下端部の凹凸状部とモルタルとの密着性が向上するので、上記（１）〜（４）に加えて、更に框部材の固定を強固にすることができる。
【発明を実施するための最良の形態】
【００２５】
以下に、この発明の最良の実施形態を添付図面に基づいて詳細に説明する。
【００２６】
図１は、この発明に係る玄関用框の固定構造の一例を示す断面斜視図、図２は、この発明における上がり框の固定構造を示す断面図、図３は、この発明における付け框の固定構造を示す断面図である。
【００２７】
この発明における玄関用框は、建物内の玄関の土間１と隣接する床面２の立上がり壁部３に後述する上がり框用ベース部材１０（以下に第１のベース部材１０という）を介して固定される上がり框部材３０（以下に第１の框部材３０という）と、土間１と隣接する側壁部４に後述する付け框用ベース部材２０（以下に第２のベース部材２０という）を介して固定される付け框部材４０（以下に第２の框部材４０という）とを具備している。
【００２８】
この場合、土間１は、床下地５の上面に敷設されるコンクリートからなるモルタル６と、モルタル６の表面に貼付されるタイル７とで構成されている。
【００２９】
また、立上がり壁部３は、基礎８の上面に設置される大引９の側面に横設される壁部材９ａと、大引９及び壁部材９ａの上面に敷設される床部材２ａの小口側端面とで形成されている。なお、床部材２ａの表面には床面材２ｂが貼着されている。また、側壁部４は基礎８の上面に設置される大引９の上面に設置されている。なお、大引９の側面に壁部材９ａを横設せずに立上がり壁部３や側壁部４を構成する場合もある。
【００３０】
第１の框部材３０は、例えばＡＢＳ樹脂（アクリロニトリル−ブタジエン−スチレン樹脂）等の合成樹脂製の押出形材にて形成されている。この第１の框部材３０は、図１，図２，図４及び図６に示すように、床部材２ａの端部表面部分を覆う水平部３１と、水平部３１の端部から直角に折曲されて立上がり壁部３の土間側部分を覆う垂直部３２と、垂直部３２の下端から蹴込み部を設けて下方に延在するスカート部３３とを有している。また、第１の框部材３０の裏面側には、後述する第１のベース部材１０に突設された第１及び第２の係合受け部１１，１２と係合可能な下方に向かって開口する水平底面部３４（水平面部）を有する凹溝からなる第１及び第２の係合部３５，３６が設けられると共に、第１のベース部材１０に設けられた当接受け部１３に当接可能な当接凸部３７が設けられている。
【００３１】
なお、第１の係合部３５の側面の水平底面部３４の近傍位置には底部側に向かってテーパ状の係止段部３８が設けられている（図４（ｂ）参照）。また、水平部３１における第１の係合部３５と隣接する下面には、第１のベース部材１０に設けられた屈曲部１４の上部平坦面１４ａに接触する膨隆垂下部３９ａが設けられている。なお、水平部３１の下面には、第１のベース部材１０を固定する第１の固定ねじ５０ａの頭部との干渉を回避するための凹溝３９ｂが設けられている。
【００３２】
第１のベース部材１０は、例えばアルミニウム合金製の押出形材にて形成されており、図１，図２，図４及び図７に示すように、床部材２ａの端部表面部分に第１の固定ねじ５０ａによって固定される水平片１５と、水平片１５の一端から直角に垂下し、第２の固定ねじ５０ｂによって壁部材９ａに固定される垂直片１６とを有し、垂直片１６の上部側には外方に向かって突出する略コ字状の屈曲部１４が突設され、この屈曲部の外側上端に起立する上面に水平面部１１ａを有する断面略逆Ｕ字状の第１の係合受け部１１が突設されている。また、垂直片１６の下部側には、垂直片１６から外側に向かって水平に延びる突出片１７の先端に起立する上面に水平面部１２ａを有する断面略逆Ｕ字状の第２の係合受け部１２が突設されている。また、垂直片１６の下端には、外側に向かって水平に延びる下部水平片１８の先端から起立する当接受け部１３が設けられている。なお、第１の係合受け部１１の水平面部１１ａの一端には、第１の框部材３０に設けられた第１の係合部３５の係止段部３８に係合可能な係止爪部１９ａが突設されている（図４（ｂ）参照）。
【００３３】
上記のように形成される第１の框部材３０と第１のベース部材１０を用いて第１の框部材３０を立上がり壁部３に固定するには、まず、第１のベース部材１０を固定ねじ５０ａ，５０ｂによって立上がり壁部３に固定する。この際、第１のベース部材１０の第１及び第２の係合受け部１１，１２の水平面部１１ａ，１２ａに接着剤６０を塗布する（図７参照）。なお、第１のベース部材１０を立上がり壁部３に固定する前に予め接着剤６０を塗布してもよい。
【００３４】
次に、第１の框部材３０を第１のベース部材１０に被せるようにして、第１の係合部３５と第２の係合部３６をそれぞれ第１のベース部材１０の第１の係合受け部１１と第２の係合受け部１２に係合（嵌合）すると共に、両水平面部１１ａ，１２ａと３４間、すなわち第１のベース部材１０の第１，第２の水平面部１１ａ，１２ａと第１の框部材３０の水平底面部３４間に介在される接着剤６０によって固定する。立上がり壁部３に固定された第１の框部材３０のスカート部３３の下端は、その後に土間１に敷設されるモルタル６内に埋入固定される。
【００３５】
一方、第２の框部材４０は、第１の框部材３０と同様に例えばＡＢＳ樹脂等の合成樹脂製の押出形材にて形成されている。この第２の框部材４０は、図１，図３，図５及び図８に示すように、側壁部４の土間側部分を覆う垂直部４１と、垂直部４１の下端から下方に延在するスカート部４２とを有している。また、第２の框部材４０の裏面側には、後述する第２のベース部材２０に突設された係合受け部２１と係合可能な側方に向かって開口する上部水平面部４３ａ（水平面部）を有する横凹溝からなる係合部４３が設けられると共に、第２のベース部材２０に設けられた垂直片２２の表面に当接可能な３つの当接凸部４６ａ，４６ｂ，４６ｃが設けられている。
【００３６】
なお、係合部４３の下部水平面部４３ｂの底部近傍位置には、底部側に向かってテーパ状の第１の係止段部４４ａが設けられている（図５（ｂ）参照）。また、垂直部４１とスカート部４２との境界の裏面段部４５には、スカート部４２側に向かってテーパ状の第２の係止段部４４ｂが設けられている（図５（ｂ）参照）。
【００３７】
第２のベース部材２０は、第１のベース部材１０と同様に、アルミニウム合金製の押出形材にて形成されており、図１，図３，図５及び図９に示すように、側壁部４の下部表面部分に第３及び第４の固定ねじ５０ｃ，５０ｄによって固定される垂直片２２を有し、垂直片２２の上部側には外方に向かって突出する上端に水平面部２１ａを有する略コ字状の係合受け部２１が突設されている。また、垂直片２２の下部側には、垂直片２２から外側に向かって水平に延びる水平片２３の先端から下方に直角に垂下する垂下片２４が設けられている。
【００３８】
なお、係合受け部２１の下端には、第２の框部材４０に設けられた係合部４３の第１の係止段部４４ａに係合可能な第１の係止爪部２５ａが突設されている（図５（ｂ）参照）。また、垂直片２２の下部の水平片２３の先端上部には、第２の框部材４０に設けられた第２の係止段部４４ｂに係合可能な第２の係止爪部２５ｂが突設されている（図５（ｂ）参照）。
【００３９】
上記のように形成される第２の框部材４０と第２のベース部材２０を用いて第２の框部材４０を側壁部４に固定するには、まず、第２のベース部材２０を固定ねじ５０ｃ，５０ｄによって側壁部４に固定する。この際、第２のベース部材２０の係合受け部２１の水平面部２１ａに接着剤６０を塗布する（図９参照）。なお、第２のベース部材２０を側壁部４に固定する前に予め接着剤６０を塗布してもよい。
【００４０】
次に、第２の框部材４０を第２のベース部材２０に被せるようにして、係合部４３を第２のベース部材２０の係合受け部２１に係合（嵌合）すると共に、両水平面部２１ａ，４３ａ間、すなわち第２のベース部材２０の水平面部２１ａと第２の框部材４０の上部水平面部４３ａ間に介在される接着剤６０によって固定する。側壁部４に固定された第２の框部材４０のスカート部４２の下端は、その後に土間１に敷設されるモルタル６内に埋入固定される。
【００４１】
なお、上記第１及び第２の框部材３０，４０のスカート部３３，４２の少なくとも下端部をモルタル６との接触面積を増大させるために凹凸状に形成してもよい。例えば、スカート部３３，４２の裏面を、図６（ｂ）及び図８（ｂ）に示すように、多数の凹凸部７０からなる凹凸状に形成してもよい。このように、スカート部３３，４２の少なくとも下端部の裏面を凹凸状に形成することにより、モルタル６内に埋入されるスカート部３３，４２のモルタル６との密着性を向上させることができ、第１及び第２の框部材３０，４０の固定を更に強固にすることができる。なお、スカート部３３，４２の下端部の裏面に凹凸部７０を形成する代わりに、スカート部３３，４２の下端部を膨隆させて凹凸部を形成して、モルタル６との接触面積を増大させるようにしてもよい。
【００４２】
また、上記実施形態では、第１及び第２の框部材３０，４０のスカート部３３，４２はいずれも垂直部３２，４１の下部に一体に形成される場合について説明したが、スカート部３３，４２を垂直部３２，４１と分割式にして、垂直部３２，４１に着脱可能に形成してもよい。
【００４３】
この場合、第１の框部材３０においては、例えば図１０に示すように、垂直部３２の下端部裏面側に、一側に外向きの係止凸条８０を有する凹溝状の係止受け部８１を設け、スカート部３３を構成するスカート部材３３Ａの上端部に、係止凸条８０に嵌合可能な係止凹条８２を有すると共に、係止受け部８１に係合（嵌合）可能な係止部８３を設ける。このように、垂直部３２の下端部に設けた係止受け部８１に、スカート部材３３Ａの上端部に設けた係止部８３を係合（嵌合）させることにより、第１の框部材３０の垂直部３２とスカート部材３３Ａ（スカート部）とを一体化することができる。
【００４４】
また、第２の框部材４０においては、図１１に示すように、垂直部４１の下端部裏面側に、上部に係止凸条８４を有する係止受け部８５を突設し、スカート部４２を構成するスカート部材４２Ａの上端部に、係止凸条８４に嵌合可能な係止凹条８６を有し係止受け部８５に係合（嵌合）可能な係止部８７を設ける。このように、垂直部４１の下端部に設けた係止受け部８５に、スカート部材４２Ａの上端部に設けた係止部８７を係合（嵌合）させることにより、第２の框部材４０の垂直部４１とスカート部材４２Ａ（スカート部）とを一体化することができる。
【００４５】
なお、上記第１及び第２の框部材３０，４０の垂直部３２，４１の係止受け部８１，８５とスカート部材３３Ａ，４２Ａの係止部８３，８７との係合（嵌合）形態は上記実施形態に限定されるものではなく、垂直部３２，４１に取り付けられるスカート部材３３Ａ，４２Ａが離脱しない状態であれば、係合（嵌合）形態は任意であってもよい。
【００４６】
上記のように、第１及び第２の框部材３０，４０の垂直部３２，４１に、スカート部を構成するスカート部材３３Ａ，４２Ａを係合（嵌合）して一体化することにより、第１及び第２の框部材３０，４０の垂直部３２，４１と土間１との隙間の寸法に応じて用意された複数のスカート部材３３Ａ，４２Ａのうちの適当なスカート部材３３Ａ，４２Ａを垂直部３２，４１に取り付けて隙間を塞ぐことができる。
【００４７】
次に、上記第１実施形態の第１及び第２の框部材３０，４０の固定作業の手順について、図１２ないし図１５を参照して説明する。
【００４８】
図１２に示す第１，第２の框部材３０，４０の取付前の状態において、まず、立上がり壁部３の床面２及び壁部材９ａに固定ねじ５０ａ，５０ｂによって第１のベース部材１０を固定する（図１３参照）。この場合、第１のベース部材１０の端部を側壁部４から数ｃｍ例えば５ｃｍ離して固定する。
【００４９】
次に、側壁部４の壁部材９ａに固定ねじ５０ｃ，５０ｄによって第２のベース部材２０を固定する（図１３参照）。この場合、第２のベース部材２０の端部を立上がり壁部３から数ｃｍ例えば５ｃｍ離して固定する。
【００５０】
上記のようにして、第１及び第２のベース部材１０，２０を固定した後、図１４に示すように、端部に第２のベース部材２０との干渉を避けるための切欠き３０ａを設けた第１の框部材３０を第１のベース部材１０に係合、すなわち第１の框部材３０の第１の係合部３５と第２の係合部３６をそれぞれ第１のベース部材１０の第１の係合受け部１１と第２の係合受け部１２に係合（嵌合）すると共に、両水平面部１１ａ，１２ａと３４間、すなわち第１のベース部材１０の第１，第２の水平面部１１ａ，１２ａと第１の框部材３０の水平底面部３４間に介在される接着剤６０によって固定する（図１４参照）。この状態で、第１の框部材３０のスカート部３３の下端は床下地５の上面付近に位置している。
【００５１】
次に、図１４に示すように、端部に第１の框部材３０の垂直部３２とスカート部３３の段差部との干渉を避けるための切欠き４０ａを設けた第２の框部材４０を第２のベース部材２０に係合、すなわち第２の框部材４０を第２のベース部材２０に被せるようにして、係合部４３を第２のベース部材２０の係合受け部２１に係合（嵌合）すると共に、両水平面部２１ａ，４３ａ間、すなわち第２のベース部材２０の水平面部２１ａと第２の框部材４０の上部水平面部４３ａ間に介在される接着剤６０によって固定する。この状態で、第２の框部材４０のスカート部４２の下端は床下地５の上面付近に位置している。
【００５２】
上記のようにして、第１及び第２の框部材３０，４０を立上がり壁部３及び側壁部４に固定した後、図１５に示すように、床下地５の上面にモルタル６を敷設する。これにより、第１及び第２の框部材３０，４０のスカート部３３，４２の裏面側にモルタル６が流れ込んで、スカート部３３，４２の下端部がモルタル６内に埋入される。したがって、第１及び第２の框部材３０，４０は、第１及び第２のベース部材２０に係合（嵌合）及び接着されて固定されると共に、スカート部３３，４２がモルタル６によって固定されるので、強固に固定される。
【００５３】
床下地５にモルタル６を敷設した後、図１に示すように、モルタル６の表面にタイル７を敷設して玄関の施工を終了する。
【００５４】
なお、上記実施形態では、立上がり壁部３に第１の框部材３０を固定した後、隣接する一方の側壁部４に第２の框部材４０を固定する場合について説明したが、隣接する他方の側壁部（図１の右側）にも同様にして第２の框部材４０を固定することができる。
【００５５】
また、立上がり壁部３と側壁部４との交差角度は直角以外の角度であっても、上記と同様にして第１の框部材３０の固定後、第２の框部材４０を固定することができる。
【００５６】
また、上記実施形態では、第１及び第２のベース部材１０，２０がアルミニウム合金製押出形材にて形成される長手通しの部材である場合について説明したが、第１，第２のベース部材１０，２０は必ずしも長手通しの部材にて形成されるものではない。例えば、上記押出形材を適宜長さに切断してピース状のベース部材１０，２０を所定の間隔をおいて立上がり壁部３や側壁部４に固定するようにしてもよい。
【００５７】
また、上記実施形態では、第１の框部材３０は、第１のベース部材１０の係合受け部１１，１２に係合（嵌合）及び接着される場合について説明したが、接着部を別の箇所にしてもよい。例えば、図１６及び図１７に示すように、立上がり壁部３の上部に位置する床部材２ａの上面端部に固定部材例えば釘５１をもって合板からなる板部材９０を固定しておき、第１のベース部材１０Ａの水平片１５Ａを板状部材９０の端部上面に載置すると共に、第１の框部材３０Ａに設けられた水平部３１Ａの下面３１ａと、板状部材９０の上面及び第１のベース部材１０Ａの水平片１５Ａの上面との間に接着剤６０を介在して第１の框部材３０Ａを固定するようにしてもよい。
【００５８】
この場合、第１のベース部材１０Ａは、プレス加工された鋼板に亜鉛メッキを施したピース状部材にて形成されている。この第１のベース部材１０Ａは、図１６〜図１８に示すように、矩形状の垂直片１６Ａと、垂直片１６Ａの上端から直角に折曲される水平片１５Ａを有し、垂直片１６Ａの両側部に上下に渡って表面側に隆起する一対の補強部１０ａを有し、中央部の上下部には、表面に向かって略Ｌ字状に切り起こされた第１の係合受け部１１Ａと第２の係合受け部１２Ａと、固定ねじ５０ｅが貫通可能な取付孔１０ｃとを有している。なお、第１の係合受け部１１Ａと第２の係合受け部１２Ａの中央角部には補強部１０ｂが隆起状に形成されている。
【００５９】
また、第１の框部材３０Ａは、垂直部３２Ａの裏面に、上記第１の係合受け部１１Ａに係合する略逆Ｌ字状の第１の係合部３５Ａと、第２の係合受け部１２Ａに係合する略逆Ｌ字状の第２の係合部３６Ａが突設されている。また、垂直部３２Ａの上端に設けられる水平部３１Ａの下面３１ａには接着剤６０の溜まり部を形成する互いに平行な複数の凹部と凸部とからなる凹凸条３１ｂが設けられている。なお、垂直部３２Ａの下端には上記スカート部３３が延在されている。
【００６０】
上記のように形成される第１の框部材３０Ａと第１のベース部材１０Ａを用いて第１の框部材３０Ａを立上がり壁部３に固定するには、まず、第１のベース部材１０Ａの水平片１５Ａを床部材２ａの上面に固定部材例えば釘５１をもって固定された板部材９０の上面に載置した状態で、固定ねじ５０ｅによって立上がり壁部３に固定する。この第１のベース部材１０Ａは適宜間隔をおいて立上がり壁部３に複数固定される。この際、第１のベース部材１０Ａの水平片１５Ａの上面及び板部材９０の上面に接着剤６０を塗布する。
【００６１】
次に、第１の框部材３０Ａを第１のベース部材１０Ａに被せるようにして、第１の係合受け部３５Ａと第２の係合受け部３６Ａをそれぞれ第１のベース部材１０Ａの第１の係合受け部１１Ａと第２の係合受け部１２Ａに係合すると共に、水平部３１Ａを第１のベース部材１０Ａの水平片１５Ａの上面及び板部材９０の上面に載置して接着剤６０によって固定する。この際、接着剤６０は水平部３１Ａの下面３１ａに設けられた凹凸条３１ｂによって保持されるので、第１の框部材３０Ａの固定は強固となる。立上がり壁部３に固定された第１の框部材３０Ａのスカート部３３の下端は、その後に土間１に敷設されるモルタル６内に埋入固定される。
【００６２】
上記のようにして立上がり壁部３に固定された第１の框部材３０Ａを立上がり壁部３から取り外す場合は、接着剤６０によって第１の框部材３０Ａに固定されている板部材９０を床部材２ａから取り外すことができる。したがって、床部材２ａを傷めることなく、第１の框部材３０Ａを交換することができる。
【図面の簡単な説明】
【００６３】
【図１】この発明に係る玄関用框の固定構造を示す断面斜視図である。
【図２】この発明における上がり框部材の固定構造を示す断面図である。
【図３】この発明における付け框部材の固定構造を示す断面図である。
【図４】上記上がり框部材の固定部を示す断面図（ａ）及び要部拡大断面図（ｂ）である。
【図５】上記付け框部材の固定部を示す断面図（ａ）及び要部拡大断面図（ｂ）である。
【図６】上記上がり框部材の要部を示す斜視図（ａ）及び上がり框のスカート部の裏面を凹凸状にした場合の斜視図（ｂ）である。
【図７】この発明における上がり框用ベース部材の要部を示す斜視図である。
【図８】上記付け框部材の要部を示す斜視図（ａ）及び付け框のスカート部の裏面を凹凸状にした場合の斜視図（ｂ）である。
【図９】この発明における付け框用ベース部材の要部を示す斜視図である。
【図１０】上記上がり框部材のスカート部を分割式にした状態を示す断面図である。
【図１１】上記付け框部材のスカート部を分割式にした状態を示す断面図である。
【図１２】玄関用框の固定前の状態を示す断面斜視図である。
【図１３】上がり框用ベース部材と付け框用ベース部材を固定した状態を示す断面斜視図である。
【図１４】上がり框部材と付け框部材を固定した状態を示す断面斜視図である。
【図１５】床下地にモルタルを敷設した状態を示す断面斜視図である。
【図１６】この発明に係る玄関用框の固定構造の別の実施形態を示す断面図である。
【図１７】図１６の要部を示す拡大断面図である。
【図１８】この発明における上がり框用ベース部材の別の形態を示す斜視図である。
【符号の説明】
【００６４】
１  土間
２  床面
３  立上がり壁部
４  側壁部
６  モルタル
１０，１０Ａ  第１のベース部材（上がり框用ベース部材）
１１，１１Ａ，１２，１２Ａ  係合受け部
１１ａ，１２ａ  水平面部
１５Ａ  水平片
２０  第２のベース部材（付け框用ベース部材）
２１  係合受け部
２１ａ  水平面部
３０，３０Ａ  第１の框部材（立上がり壁部用框部材，上がり框部材）
３１，３１Ａ  水平部
３２，３２Ａ  垂直部
３３  スカート部
３３Ａ  スカート部材
３４  水平底面部
３５，３５Ａ，３６，３６Ａ  係合部
４０  第２の框部材（側壁部用框部材）
４１  垂直部
４２  スカート部
４２Ａ  スカート部材
４３  係合部
４３ａ  上部水平面部
５１  釘（固定部材）
６０  接着剤
７０  凹凸部
８１，８５  係止受け部
８３，８７  係止部
９０  板部材
【図１】
2010144435.tif 000003
【図２】
2010144435.tif 000004
【図３】
2010144435.tif 000005
【図４】
2010144435.tif 000006
【図５】
2010144435.tif 000007
【図６】
2010144435.tif 000008
【図７】
2010144435.tif 000009
【図８】
2010144435.tif 000010
【図９】
2010144435.tif 000011
【図１０】
2010144435.tif 000012
【図１１】
2010144435.tif 000013
【図１２】
2010144435.tif 000014
【図１３】
2010144435.tif 000015
【図１４】
2010144435.tif 000016
【図１５】
2010144435.tif 000017
【図１６】
2010144435.tif 000018
【図１７】
2010144435.tif 000019
【図１８】
2010144435.tif 000020